(57)【要約】【課題】  ユーザが一方の記録／再生部で再生している映像および音声を視聴しているときに、この再生している映像および音声を他方の記録／再生部で記録媒体に記録するダビングの実行にかかる操作を簡単にし、ユーザの操作性の向上を図った複合装置を提供する。【解決手段】  複合装置１は、ＤＶＤ記録／再生部３、またはビデオテープ記録／再生部４の一方が記録媒体を再生しているときに、操作部５に設けられたダビングキーが操作されると、他方の記録／再生部において、一方の記録／再生部が再生している映像音声を記録媒体に記録するダビングを開始する。【選択図】  図１
2005191931.tif 000002
【特許請求の範囲】
【請求項１】
本体に入力されている映像および音声のＤＶＤへの記録、およびこのＤＶＤに記録されている映像および音声の再生を行うＤＶＤ記録／再生手段と、
本体に入力されている映像および音声のビデオテープへの記録、およびこのビデオテープに記録されている映像および音声の再生を行うビデオテープ記録／再生手段と、
前記ＤＶＤ記録／再生手段が記録または再生している映像および音声を出力するか、前記ビデオテープ記録／再生手段が記録または再生している映像および音声を出力するか、を切り替える出力切替手段と、
前記ＤＶＤ記録／再生手段、または前記ビデオテープ記録／再生手段の一方が再生している映像および音声を、他方の記録／再生手段に入力し、該他方の記録／再生手段がこの映像および音声を記録媒体であるＤＶＤまたはビデオテープに記録するダビングを行うダビング手段と、を備えた複合装置において、
前記ＤＶＤ記録／再生手段、または前記ビデオテープ記録／再生手段の一方が記録媒体に記録されている映像および音声を再生しているときに、本体に対して特定の入力があれば、一方の記録再生手段における映像および音声の再生を一時停止し、再度特定の入力があったときに、この再生の一時停止を解除するとともに前記ダビング手段を動作させて、一方の記録／再生手段が再生している映像および音声を、他方の記録／再生手段が記録媒体に記録するダビングを開始するとともに、前記出力切替手段を切り替え、他方の記録／再生手段が記録媒体に記録している映像および音声を出力する制御手段を備えた複合装置。
【請求項２】
本体に入力されている映像および音声の第１の記録媒体への記録、およびこの第１の記録媒体に記録されている映像および音声の再生を行う第１の記録／再生手段と、
本体に入力されている映像および音声の第２の記録媒体への記録、およびこの第２の記録媒体に記録されている映像および音声の再生を行う第２の記録／再生手段と、
前記第１の記録／再生手段が記録または再生している映像および音声を出力するか、前記第２の記録／再生手段が記録または再生している映像および音声を出力するか、を切り替える出力切替手段と、
第１、または第２の記録／再生手段の一方が再生している映像および音声を、他方の記録／再生手段に入力し、該他方の記録／再生手段がこの映像および音声を記録媒体に記録するダビングを行うダビング手段と、を備えた複合装置において、
第１、または第２の記録／再生手段の一方が記録媒体に記録されている映像および音声を再生しているときに、本体に対して特定の入力があれば、前記ダビング手段を動作させて、一方の記録／再生手段が再生している映像および音声を、他方の記録／再生手段が記録媒体に記録するダビングを開始する制御手段を備えた複合装置。
【請求項３】
前記制御手段は、前記ダビング手段による映像および音声のダビングを開始するときに、前記出力切替手段を切り替え、他方の記録／再生手段が記録媒体に記録している映像および音声を出力する請求項２に記載の複合装置。
【請求項４】
前記制御手段は、第１、または第２の記録／再生手段の一方が記録媒体に記録されている映像および音声を再生しているときに、本体に対して前記特定の入力があれば、一方の記録再生手段における映像および音声の再生を一時停止し、再度特定の入力があったときに、この再生の一時停止を解除するとともに前記ダビング手段を動作させて、一方の記録／再生手段が再生している映像および音声を、他方の記録／再生手段が記録媒体に記録するダビングを開始する請求項２または３に記載の複合装置。
【請求項５】
前記第１の記録媒体はＤＶＤであり、第２の記録媒体はビデオテープである請求項２〜４のいずれかに記載の複合装置。
【発明の詳細な説明】
【技術分野】
【０００１】
この発明は、ＤＶＤ、ビデオテープ、ハードディスク等の記録媒体に対する映像および音声の記録や再生を行う構成を２つ備え、一方で再生している映像および音声を他方で記録するダビングが行える複合装置に関する。
【背景技術】
【０００２】
従来より、本体に入力された映像および音声、例えばテレビ放送による番組の映像および音声を記録媒体である、ＤＶＤ、ビデオテープ、ハードディスク等に記録したり、記録媒体が記録している映像および音声を再生する記録／再生装置、所謂ビデオ装置、が広く一般に普及している。また、特許文献１、２等で示されている、記録／再生部を２つ内蔵し、一方で再生している映像および音声を他方で記録するダビングが行える複合装置もすでに実用化されている。複合装置には、２つの記録／再生部が特許文献１のように映像および音声の記録や再生を同じ種類の記録媒体に対して行うタイプや、特許文献２のように映像および音声の記録や再生を異なる種類の記録媒体に対して行うタイプがある。
【特許文献１】特開平５−２８７３０号公報
【特許文献２】特開２００１−１６５４０号公報
【発明の開示】
【発明が解決しようとする課題】
【０００３】
しかしながら、従来の複合装置は、特許文献１にも示されているように、ダビング方向を設定する方向キー、とダビングを開始させるダビングキーとを別々に設けていた。そして、ユーザが一方の記録／再生部で再生している映像および音声を視聴しているときに、この再生している映像および音声をダビングして別の記録媒体に記録したいと思ったとき、一方の記録／再生部における再生の一時停止にかかる操作を行い、次にダビング方向の設定にかかる操作を行い、最後にダビングの開始にかかる操作（再生の一時停止を解除し、且つ他方の記録／再生部における記録動作を開始させる操作）を行わなければならなかった。このように、ダビングを行うには３つの操作を行わなければならず、操作性が良くないという問題があった。
【０００４】
この発明の目的は、ユーザが一方の記録／再生部で再生している映像および音声を視聴しているときに、この再生している映像および音声を他方の記録／再生部で記録媒体に記録するダビングの実行にかかる操作を簡単にし、ユーザの操作性の向上を図った複合装置を提供することにある。
【課題を解決するための手段】
【０００５】
この発明の複合装置は、上記課題を解決し、その目的を達成するために以下の構成を備えている。
【０００６】
（１）本体に入力されている映像および音声の第１の記録媒体への記録、およびこの第１の記録媒体に記録されている映像および音声の再生を行う第１の記録／再生手段と、
本体に入力されている映像および音声の第２の記録媒体への記録、およびこの第２の記録媒体に記録されている映像および音声の再生を行う第２の記録／再生手段と、
前記第１の記録／再生手段が記録または再生している映像および音声を出力するか、前記第２の記録／再生手段が記録または再生している映像および音声を出力するか、を切り替える出力切替手段と、
第１、または第２の記録／再生手段の一方が再生している映像および音声を、他方の記録／再生手段に入力し、該他方の記録／再生手段がこの映像および音声を記録媒体に記録するダビングを行うダビング手段と、を備えた複合装置において、
第１、または第２の記録／再生手段の一方が記録媒体に記録されている映像および音声を再生しているときに、本体に対して特定の入力があれば、前記ダビング手段を動作させて、一方の記録／再生手段が再生している映像および音声を、他方の記録／再生手段が記録媒体に記録するダビングを開始する制御手段を備えている。
【０００７】
この構成では、制御手段が、一方の記録／再生手段が記録媒体に記録されている映像および音声を再生しているときに、本体に対して特定の入力（ダビングの要求）があると、ダビング手段を動作させて、一方の記録媒体が再生している映像および音声を他方の記録／再生手段に入力し、この他方の記録／再生手段に一方の記録／再生手段が再生している映像および音声を記録媒体に記憶させる。したがって、一方の記録／再生手段が再生している映像および音声を視聴しているときに、本体に対して特定の入力にかかる操作を行うだけで、一方の記録／再生手段が再生している映像および音声をダビングでき、ダビングにかかる操作性の向上が図れる。
【０００８】
また、ダビング方向が特定の入力があったときに記録媒体を再生している記録再生手段から、他方の記録再生手段に自動的に設定されるので、従来の装置に設けられていたダビング方向を設定する際に操作する方向キーを不要にでき、その分だけ本体のコストダウンが図れる。
【０００９】
（２）前記制御手段は、前記ダビング手段による映像および音声のダビングを開始するときに、前記出力切替手段を切り替え、他方の記録／再生手段が記録媒体に記録している映像および音声を出力する。
【００１０】
この構成では、ダビング時には記録媒体に記録している映像および音声が出力されるので、ユーザに対して記録媒体に記録している映像、および音声を確認させることができる。
【００１１】
（３）前記制御手段は、第１、または第２の記録／再生手段の一方が記録媒体に記録されている映像および音声を再生しているときに、本体に対して前記特定の入力があれば、一方の記録再生手段における映像および音声の再生を一時停止し、再度特定の入力があったときに、この再生の一時停止を解除するとともに前記ダビング手段を動作させて、一方の記録／再生手段が再生している映像および音声を、他方の記録／再生手段が記録媒体に記録するダビングを開始する。
【００１２】
この構成では、本体に対して前記特定の入力があったときに、一方の記録／再生手段における記録媒体の再生を一時停止し、その後に再度特定の入力があるとダビングを開始する。これにより、ユーザが一方の記録／再生手段が再生している映像および音声を視聴しているときに、この再生している映像および音声をダビングしたいと思ったときに、他方の記録／再生部に記録媒体がセットされていない状況であっても、ユーザはとりあえず本体に対して特定の入力にかかる操作を行い、他方の記録／再生部に記録媒体をセットしてから再度特定の入力にかかる操作を行うことで、ダビングが行える。
【００１３】
これにより、ユーザは、最初にダビングキーを作した後に、記録側になる記録／再生手段にセットされている記録媒体が映像および音声のダビングに用いてよい記録媒体であるかどうかを確認し、ダビングに用いてよい記録媒体でなければ、記録媒体を交換することができる。したがって、ユーザがダビングに用いたくない記録媒体に映像および音声がダビングされるのを防止できる。
【発明の効果】
【００１４】
この発明によれば、一方の記録／再生手段が再生している映像および音声を視聴しているときに、本体に対して特定の入力にかかる操作を行うだけで、一方の記録／再生手段が再生している映像および音声をダビングでき、ダビングにかかる操作性の向上が図れる。
【００１５】
また、本体にダビングを行う方向を設定する際に操作する方向キーを設けなくてもよいので、その分だけ本体のコストダウンが図れる。
【発明を実施するための最良の形態】
【００１６】
以下、この発明の実施形態である複合装置について説明する。
【００１７】
図１は、この実施形態の複合装置の主要部の構成を示すブロック図である。この実施形態の複合装置１は、本体の動作を制御する制御部２と、記録媒体であるＤＶＤに映像および音声を記録したり、ＤＶＤに記録されている映像および音声を再生するＤＶＤ記録／再生部３と、記録媒体であるビデオテープに映像および音声を記録したり、ビデオテープに記録されている映像および音声を再生するビデオテープ記録／再生部４と、ユーザが本体に対する入力操作を行う操作部５と、備えている。また、図１に示す６は外部機器から映像および音声が入力される入力端子であり、７は映像および音声を出力する出力端子である。この出力端子７にはテレビ受像機等が接続される。さらに、１１は出力端子７から出力する映像および音声をＤＶＤ記録／再生部３の出力とするか、ビデオテープ記録／再生部４の出力とするかを切り替える出力切替スイッチであり、１２は本体に対する映像および音声の入力を切り替える入力切替スイッチであり、１３はＤＶＤ記録／再生部３から出力された映像および音声をビデオテープ記録／再生部４に入力するかどうかを切り替えるダビングスイッチである。出力切替スイッチ１１、入力切替スイッチ１２、およびダビングスイッチ１３は、制御部２によりその状態が制御される。
【００１８】
ＤＶＤ記録／再生部３は、記録媒体であるＤＶＤに映像および音声をディジタルデータで記録する公知の構成であり、ＤＶＤに記録する映像および音声をＭＰＥＧ−２で符号化するエンコーダや、ＤＶＤへの映像および音声（ＭＰＥＧ−２で符号化されたディジタルデータ）の記録、ＤＶＤに記録されている映像および音声のディジタルデータの読み取り行うピックアップヘッドや、ピックアップヘッドがＤＶＤから読み取った映像および音声のディジタルデータをデコードするデコーダ等を備えた公知の構成である。また、ビデオテープ記録／再生部４は、記録媒体であるビデオテープに映像および音声を磁気データで記録する磁気ヘッド等を備えた公知の構成である。ここでは、ＤＶＤ記録／再生部３、およびビデオテープ記録再生部４の詳細な説明については省略する。操作部５は、本体に設けられた操作キーだけでなく、表示部や図示していないリモコン装置から送信されてきた制御信号を受信する受信部等を備えている。操作部５に設けられている操作キーには、ダビングキー５ａ（この発明で言う本体に対して特定の入力を行うときに操作するキー）が含まれている。
【００１９】
出力切替スイッチ１１が図中に示すＡ側に接続されているとき、ＤＶＤ記録／再生部３から出力されている映像および音声が出力端子７から出力され、Ｂ側に接続されているとき、ビデオテープ記録／再生部４から出力されている映像および音声が出力端子７から出力される。また、入力切替スイッチ１２が図中に示すＡ、Ｂ、Ｃのいずれかに接続されているとき、該当する入力端子６に入力されている映像および音声が本体に入力され、Ｄ側に接続されているときビデオテープ記録／再生部４から出力されている映像および音声がＤＶＤ記録／再生部３に入力される。ダビングスイッチ１３が図中に示すＡ側に接続されているとき、入力端子６に入力されている映像および音声がビデオテープ記録／再生部４に入力され、Ｂ側に接続されているときＤＶＤ記録／再生部３から出力されている映像および音声がビデオテープ記録／再生部４に入力される。
【００２０】
以下、この実施形態の複合装置１におけるダビング動作について説明する。図２は、この実施形態の複合装置のダビング動作を示すフローチャートである。複合装置１は、操作部５に設けられているダビングキー５ａが操作されたとき、または図示していないリモコン装置から送られてきたダビング要求を受信したときに図２に示す処理を実行する。複合装置１は、ダビングキー５ａが操作されると（リモコン装置から送られてきたダビング要求を受信した場合を含む、以下同じ）、現在ＤＶＤ記録／再生部３がＤＶＤに記録されている映像および音声の再生中であるかどうかを判定し（ｓ１）、再生中であればＤＶＤ記録／再生部３におけるＤＶＤの再生動作を一時停止し（ｓ２）、ビデオテープ記録／再生部４が停止中であるかどうかを判定する（ｓ３）。
【００２１】
一方、複合装置１はｓ１でＤＶＤ記録／再生部３が再生中でないと判定すると、ビデオテープ記録／再生部４がビデオテープに記録されている映像および音声の再生中であるかどうかを判定し（ｓ４）、ビデオテープ記録／再生部４が再生中であれば、ビデオテープ記録／再生部４における再生動作を一時停止し（ｓ５）、ＤＶＤ記録／再生部３が停止中であるかどうかを判定する（ｓ６）。
【００２２】
複合装置１は、ｓ３でビデオテープ記録／動作部４が停止中でないと判定した場合、ｓ４でビデオテープ記録／動作部４が再生中でないと判定した場合、およびｓ６でＤＶＤ記録／動作部３が停止中でないと判定した場合、すなわちＤＶＤ記録／再生部３またはビデオテープ記録／再生部４の一方が再生中で、他方が停止中でない場合、ｓ７でエラー処理を行い、本処理を終了する。例えば、ユーザがＤＶＤ記録／再生部３で再生している映像および音声を視聴しているときに、ビデオテープ記録／再生部４が入力端子６に入力されている映像および音声をビデオテープに記録していれば、この時点でビデオテープ記録／再生部４が行っている記録動作を停止しなければダビングを行うことができない。そして、この時点でビデオテープ記録／再生部４が行っている記録動作を停止することにより不都合が生じる可能性が高いことから、ｓ７でエラー処理を行うようにしている。このエラー処理は、現在の状況ではダビングが行えないことをユーザに報知する処理であり、例えば操作部５に設けられている図示していない表示部にダビングが行えない旨のメッセージを表示する処理である。
【００２３】
次に、複合装置１がｓ３でビデオテープ記録／再生部４が停止中であると判定した場合の動作について説明する。このときの状況は、ユーザが出力端子７に接続されているテレビ受像機において、ＤＶＤ記録／再生部３で再生している映像および音声を視聴していて、その映像および音声をビデオテープに記録したいと思い、ダビングキー５ａを操作したことによる場合が殆どである。
【００２４】
複合装置１は、ダビング方向をＤＶＤからビデオテープ（ＶＴ）の方向に決定する（ｓ８）。このとき、複合装置１は、出力切替スイッチ１１、ダビングスイッチ１３の切替を行う。複合装置１は、出力切替スイッチ１１をＢ側に接続し、ダビング切替スイッチ１３をＢ側に接続する。これにより、ＤＶＤ記録／再生部３から出力されている映像および音声がダビングスイッチ１３を介してビデオテープ記録／再生部４に入力され、ビデオテープ記録／再生部４から出力されている映像および音声が出力切替スイッチ１１を介して出力端子７から出力される状態になる。
【００２５】
なお、ＤＶＤ記録／再生部３は、この時点においてＤＶＤを再生しているので、入力切替スイッチ１２を介して入力される映像および音声を受け付けていない（内部に取り込んでいない。）。このため、入力切替スイッチ１２は、Ａ〜Ｄのどこに接続されていても特に問題がないので、ｓ８では切り替えを行わない。
【００２６】
複合装置１は、ビデオテープ記録／再生部４にビデオテープがセットされているかどうかを判断し（ｓ９）、ビデオテープがセットされていなければ、ビデオテープが未セットであることを報知し（ｓ１０）、このことをユーザに認識させる。ｓ１０では、例えばビデオテープが未セットである旨のメッセージを、操作部５に設けられている表示部に表示して、ビデオテープが未セットであることをユーザに認識させる。
【００２７】
複合装置１は、ｓ９でビデオテープ記録／再生部４にビデオテープがセットされていると判定した場合、またはｓ１１でビデオテープ記録／再生部４にビデオテープがセットされたと判定した場合に、ＤＶＤ記録／再生部３が再生している映像および音声を、ビデオテープ記録／再生部４がビデオテープに記録するダビングを開始する（ｓ１２）。ｓ１２では、ｓ２で一時停止したＤＶＤの再生を再開するとともに、ビデオテープ記録／再生部４が入力されている映像および音声の記録を開始する。このとき、ビデオテープ記録／再生部４が入力されている映像および音声は、上述したようにＤＶＤ記録／再生部３の出力である。複合装置１は、本体にダビング終了の入力があるまでダビング動作を実行し（ｓ１３）、本体にダビング終了の入力があるとｓ２０でダビング動作を停止して本処理を終了する。
【００２８】
このように、この実施形態の複合装置１においては、ＤＶＤ記録／再生部３でＤＶＤに記録されている映像および音声を再生しているときに、ユーザがダビングキー５ａを操作するだけで、再生している映像および音声をビデオテープにダビングできる。また、ダビング方向がＤＶＤからビデオテープの方向である場合、出力端子７にはビデオテープ記録／再生部４がビデオテープに記録している映像および音声が出力されているので、ユーザは出力端子７に接続したテレビ受像機において、ビデオテープに記録している映像および音声を確認できる。
【００２９】
次に、複合装置１がｓ６でＤＶＤが停止中であると判定した場合について説明する。この時点における状況は、ユーザが出力端子７に接続されているテレビ受像機において、ビデオテープ記録／再生部４で再生している映像および音声を視聴していて、その映像および音声をＤＶＤに記録したいと思い、ダビングキー５ａを操作した場合が殆どである。
【００３０】
複合装置１は、ダビング方向をビデオテープからＤＶＤの方向に決定する（ｓ１４）。このとき、複合装置１は、出力切替スイッチ１１、入力切替スイッチ１２の切替を行う。複合装置１は、出力切替スイッチ１１をＡ側に接続し、入力切替スイッチ１２をＤ側に接続する。これにより、ビデオテープ記録／再生部４から出力されている映像および音声が入力切替スイッチ１２を介してＤＶＤ記録／再生部３に入力され、ＤＶＤ記録／再生部３から出力されている映像および音声が出力切替スイッチ１１を介して出力端子７から出力される状態になる。
【００３１】
なお、ビデオテープ記録／再生部４は、この時点においてビデオテープを再生しているので、ダビングスイッチ１３を介して入力される映像および音声を受け付けていない（内部に取り込んでいない。）。このため、ダビングスイッチ１３は、Ａ，Ｂのどちらに接続されていても特に問題がないので、ｓ１４では切り替えを行わない。
【００３２】
複合装置１は、ＤＶＤ記録／再生部３にＤＶＤがセットされているかどうかを判断し（ｓ１５）、ＤＶＤがセットされていなければ、ＤＶＤが未セットであることを報知し（ｓ１６）、このことをユーザに認識させる。ｓ１６では、例えばＤＶＤが未セットである旨のメッセージを、操作部５に設けられている表示部に表示して、ＤＶＤが未セットであることをユーザに認識させる。
【００３３】
複合装置１は、ｓ１５でＤＶＤ記録／再生部３にＤＶＤがセットされていると判定した場合、またはｓ１７でＤＶＤ記録／再生部３にＤＶＤがセットされたと判定した場合に、ビデオテープ記録／再生部４が再生している映像および音声を、ＤＶＤ記録／再生部３がＤＶＤに記録するダビングを開始する（ｓ１８）。ｓ１８では、ｓ５で一時停止したビデオテープの再生を再開するとともに、ＤＶＤ記録／再生部３が入力されている映像および音声の記録を開始する。このとき、ＤＶＤ記録／再生部３が入力されている映像および音声は、上述したようにビデオテープ記録／再生部４の出力である。複合装置１は、本体にダビング終了の入力があるまでダビング動作を実行し（ｓ１９）、ダビング終了の入力があるとｓ２０でダビング動作を停止して本処理を終了する。
【００３４】
このように、この実施形態の複合装置１においては、ビデオテープ記録／再生部４でビデオテープに記録されている映像および音声を再生しているときに、ユーザがダビングキー５ａを操作するだけで、再生している映像および音声をＤＶＤにダビングできる。また、ダビング方向がビデオテープからＤＶＤの方向である場合、出力端子７にはＤＶＤ記録／再生部３がＤＶＤに記録している映像および音声が出力されているので、ユーザは出力端子７に接続したテレビ受像機において、ＤＶＤに記録している映像および音声を確認できる。
【００３５】
以上のように、この実施形態の複合装置１は、ＤＶＤ記録／再生部３でＤＶＤに記録されている映像および音声を再生しているときに、ダビングキー５ａを操作するだけで、ＤＶＤに記録されている映像および音声をビデオテープにダビングでき、反対にビデオテープ記録／再生部４でビデオテープに記録されている映像および音声を再生しているときに、ダビングキー５ａを操作するだけで、ビデオテープに記録されている映像および音声をＤＶＤにダビングできる。また、従来の複合装置のようにダビングの方向をユーザが設定する必要がないので、ダビングにかかるユーザの操作を簡単にできるとともに、本体にダビングの方向を設定する方向キーが不要となり、その分だけ装置本体のコストダウンが図れる。
【００３６】
また、ＤＶＤまたはビデオテープの一方に記録されている映像および音声を全て他方にダビングする場合には、一方の再生を開始し、その直後にダビングキー５ａを操作すればよい。例えばＤＶＤに記録されている映像および音声をビデオテープにダビングする場合、まずＤＶＤおよびビデオテープをそれぞれセットし、ＤＶＤ記録／再生部３におけるＤＶＤの再生を開始させる操作（ＤＶＤの再生キーの操作）を行い、その直後にダビングキー５ａを操作すればよい。
【００３７】
なお、上記実施形態では、ＤＶＤとビデオテープとの間でダビングが行える複合装置１を示したが、本願発明は他の種類の記録媒体間でダビングが行える装置、例えばＤＶＤとハードディスクとの間でダビングが行える装置、にも適用できる。
【００３８】
また、図３に示すように、上記実施形態におけるｓ８とｓ９の間、およびｓ１４とｓ１５の間に、ダビングキー５ａが再度操作されるの待つ処理（ｓ２１、ｓ２２）を設けてもよい。このようにすれば、ユーザが一方の記録媒体に記録されている映像および音声を視聴しているときに、他方の記録媒体にダビングしたいと感じ、とりあえずダビングキー５ａを操作した場合に、他方の記録媒体がセットされていないことをこのユーザが認識していれば、ダビングキー５ａを再度操作する前に、他方の記録媒体を本体にセットするので、ユーザに対して無用な警告を行うことがない。また、ユーザは、最初にダビングキーを作した後に、記録側になるＤＶＤ記録／再生部３（またはビデオテープ記録再生部４）にセットされている記録媒体が映像および音声のダビングに用いてよい記録媒体であるかどうかを確認し、ダビングに用いてよい記録媒体でなければ、記録媒体を交換することができる。したがって、ユーザがダビングに用いたくない記録媒体に映像および音声がダビングされるのを防止できる。
【図面の簡単な説明】
【００３９】
【図１】この実施形態の複合装置の主要部の構成を示すブロック図である。
【図２】この実施形態の複合装置のダビング動作を示すフローチャートである。
【図３】別の実施形態の複合装置のダビング動作を示すフローチャートである。
【符号の説明】
【００４０】
１−複合装置
２−制御部
３−ＤＶＤ記録／再生部
４−ビデオテープ記録／再生部
５−操作部
５ａ−ダビングキー
６−入力端子
７−出力端子
１１−出力切替スイッチ
１２−入力切替スイッチ
１３−ダビング切替スイッチ
【図１】
2005191931.tif 000003
【図２】
2005191931.tif 000004
【図３】
2005191931.tif 000005